【事件の表示】
　特願２０００−２１１３６９「電子レンジ」拒絶査定不服審判事件〔平成１４年　１月２３日出願公開、特開２００２−　２２１７６〕について、次のとおり審決する。
【結　論】
　本件審判の請求は、成り立たない。
【理　由】
１．手続の経緯
　本願は、平成１２年７月１２日の出願であって、平成１７年３月２２日付けで拒絶査定がなされ（平成１７年３月２９日発送）、これに対し、同年４月２７日に審判請求がなされるとともに、同年５月２６日付けで手続補正がなされたものである。
　　　　　　　
２．平成１７年５月２６日付けの手続補正についての補正却下の決定
［補正却下の決定の結論］
　平成１７年５月２６日付けの手続補正を却下する。
　　　
［理由］
（１）補正後の本願発明
　本件補正により、特許請求の範囲の請求項５は、
「【請求項１】複数個の料理のそれぞれに対応して該料理を加熱調理するための加熱制御情報を含む料理情報が標準で登録された記憶部が備えられる電子レンジであって、表示部と、前記複数個の料理の表示された料理名一覧のうちから外部操作して選択されたお気に入り料理の料理名が格納されたお気に入り料理名格納手段と、
　前記お気に入り料理名格納手段から前記料理名を読出して前記表示部に表示するために操作される読出操作部と、加熱調理について加熱動作の開始を指示するために操作される加熱開始操作部とを少なくとも有した外部操作部と、
　前記読出操作部が操作されたことに応じて前記お気に入り料理名格納手段から前記料理名を読出して前記表示部に表示するお気に入り料理名表示手段と、
　前記お気に入り料理名表示手段により前記表示部に前記料理名が表示されている際に、前記加熱開始操作部が操作されたことに応じて、前記お気に入り料理について対応の前記加熱制御情報に従い前記加熱動作を開始するためのお気に入り料理加熱手段とをさらに備え、
　前記お気に入り料理名表示手段は、前記表示部において、前記料理名を大きなサイズで表示することを特徴とする、電子レンジ。
【請求項５】前記料理情報は、対応する前記料理の分量に応じた情報を示して、前記料理名により、対応の前記分量が指示されることを特徴とする、請求項１ないし４のいずれかに記載の電子レンジ。」と補正された。
　　　
　上記補正は、請求項５に記載した発明を特定する事項である「所望料理」について「お気に入り料理」と限定するものであって、特許法第１７条の２第４項第２号の特許請求の範囲の減縮を目的とするものに該当する。
　　　
　そこで、本件補正後の前記請求項５に記載された発明（請求項５に記載された発明の中、特に、請求項１に記載された発明を引用した発明を、以下、「本願補正発明」という。）が特許出願の際独立して特許を受けることができるものであるか（特許法第１７条の２第５項において準用する同法第１２６条第５項に適合するか）について、以下に検討する。
　　　　　
（２）引用例
　原査定の拒絶の理由に引用された特開２０００−６５３５７号公報（以下、「引用例１」という。）には、図面とともに以下の事項が記載されている。
　　　
イ「【請求項３】複数の調理名称および各調理名称に応じた調理条件が予め登録されていて、調理名称の呼出指令に応答して表示部に前記登録してある調理名称の１つを表示するとともに、 調理名称の呼出指令が入力されたとき、当該呼出指令の直前に実行した調理名称を表示部に優先的に表示するものである、ことを特徴とする高周波加熱装置。
【請求項４】複数の調理名称および各調理名称に応じた調理条件が予め登録されている登録手段と、調理名称の呼出指令に応答して表示部に前記登録してある調理名称の１つを表示する管理手段とを含み、前記管理手段は、選択された調理名称に対応する調理動作を実行するとともに、調理名称の呼出指令が入力されたとき、当該呼出指令の直前に実行した調理名称を表示部に優先的に表示する処理を実行するものである、ことを特徴とする高周波加熱装置。
【請求項５】複数の調理名称および各調理名称に応じた調理条件が予め記憶されていて、調理名称の呼出指令に応答して表示部に前記記憶してある調理名称の１つを表示するとともに、調理名称の呼出指令が入力されたとき、当該呼出指令の直前に実行した調理名称を表示部に優先的に表示し、これ以後に呼出指令が入力されたとき、前記優先表示した調理名称の実行日時より過去に実行した調理名称を、実行した順と逆の順に表示部に表示するものである、ことを特徴とする高周波加熱装置。」（特許請求の範囲【請求項３】〜【請求項５】）
　　　
ロ「この他、従来の高周波加熱装置では、種々な調理が可能なように、予測される複数の調理形態に関して調理名称と調理条件とを対応づけてメモリに記憶させておき、メニュー呼出キーの１回の操作により、表示部に１つの調理名称を表示し、続くキー操作により他の調理名称に切り替えて表示するようになっている。そして、表示部に調理名称が表示されている状態で、ユーザーが運転キーを操作すれば、表示部に表示されている調理名称に対応する調理条件で調理機能を実行するようになっている。この従来例では、メニュー呼出キーの操作に応答して表示部に表示する調理名称の呼び出し表示の順番を、メモリに記憶してある固定の優先順に従うようにしている。ところが、直前に実行した調理形態を、再度実行したいときでも、この調理形態に該当する調理名称が呼び出し表示順位の下位に位置している場合だと、メニュー呼出キーを複数回にわたって操作する必要があるなど、非常に面倒であった。」（段落【０００５】）
　　　
ハ「制御装置２は、例えばＣＰＵ１０、ＲＯＭ１１、ＥＥＰＲＯＭ１２、ＲＡＭ１３を含むマイクロコンピュータからなり、表示操作パネル１の各種キー４〜８から入力される指令信号に基づいて表示部３への表示に関する動作を制御するとともに、調理に関する動作を制御するものである。・・・（中略）・・・。ＥＥＰＲＯＭ１２には、調理可能な調理名称の一覧（メニュー）、各調理名称に対応する調理条件、調理名称の呼び出し優先順位、ならびに表示部３の時計の消灯時刻などが書き込まれている。このＥＥＰＲＯＭ１２に書き込まれているデータは、必要に応じて適宜書き換えられる。」（【００１９】〜【００２２】）
　　　　　
ニ「また、メニュー呼出キー４であると判定すると（Ｓ５）、現時点での呼び出し優先順位の最上位に位置する調理名称をＥＥＰＲＯＭ１２から読み出して、表示部３に表示する（Ｓ６）。また、スタートキー５であると判定すると（Ｓ７）、表示部３に表示されてある調理名称に関する調理条件をＥＥＰＲＯＭ１２から読み出して、調理機能を実行する一方で、調理機能の実行開始日時を認識するとともに、当該実行開始日時のうち時刻に対して調理所要時間を加算して、その調理終了時刻および日付を調理名称と共にＲＡＭ１３に記憶し、さらにＥＥＰＲＯＭ１２に書き込んである調理名称の呼び出し優先順位を、前記実行する調理名称を最上位とするように書き換える（Ｓ８）。」（段落【００２８】、【００２９】）
　　
　以上の記載及び図面によると、引用例１には、
　複数の調理名称に応じた調理条件が予め登録されている登録手段を備えた高周波加熱装置であって、表示部と、前記複数の調理名称一覧のうちから選択された調理名称が格納されたＥＥＰＲＯＭと、前記ＥＥＰＲＯＭから前記調理名称を呼び出して前記表示部に表示するためのメニュー呼出キーと、調理機能について調理機能の開始を指示するために操作されるスタートキーとを少なくとも有した表示操作パネルと、前記メニュー呼出キーが操作されたことに応じて前記ＥＥＰＲＯＭから前記調理名称を所定の順に呼び出して前記表示部に表示する制御装置と、前記制御装置により前記表示部に前記調理名称が表示されている際に、前記スタートキーが操作されたことに応じて、前記調理名称が表示されている調理に対応した調理機能を実行するための手段とをさらに備えた高周波加熱装置（以下、「引用例１発明」という。）が記載されている。
　　　
　同じく、原査定の拒絶の理由に引用された刊行物である特開平１１−２８１０６４号公報（以下、「引用例２」という。）には、
ホ「【請求項１】表示手段と、該表示手段に表示された表示項目を選択する選択手段と、選択された表示項目に関する表示を次々と切り替え表示させるようにして成る加熱調理器において、
　切り替え表示画面の所望画面に栞を付与するための栞付与指示手段と、栞が付与された画面に係るデータを記憶する記憶手段と、栞が付与された画面を表示させるための栞付与画面表示指示手段と、該表示指示手段からの入力信号ににより前記記憶手段に記憶されたデータに基づいて栞が付与された画面を表示させる表示制御手段とを設けたことを特徴とする加熱調理器。
【請求項２】上記栞付与指示手段と上記栞付与画面表示指示手段とを兼用にし、初期画面における前記指示手段からの入力信号を上記栞付与画面表示指示手段の入力信号とし、所定画面における前記指示手段からの入力信号を上記栞付与指示手段の入力信号とすることを特徴とする請求項１記載の加熱調理器。」（【特許請求の範囲】【請求項１】、【請求項２】）
　　　
ヘ「本発明はマイコン制御の加熱調理器に関し、さらに詳細には、表示手段に表示された表示項目を選択し、選択された表示項目に関する表示を次々と切り替え表示させることにより、自動調理メニューを選択設定したり、お料理メモ、調理アドバイス、調理のコツ等を見るようにして成る加熱調理器の改良に関する。」（段落【０００１】）
　　　　
ト「液晶ディスプレイ９は料理に関するメッセージやアドバイスを見やすい大きさで漢字表示およびイラスト表示するためにフルドットマトリックスから成るＳＴＮ液晶を使用している。又、海外向けに関しては漢字表示のところを英文表示等の当該国使用言語で表示する必要がある。」（段落【００１１】）
　　　
チ「しかしながら、仕様によっては大量のプログラムを必要としない場合もあり、その場合はマイコン１の内部記憶メモリー（ＲＯＭ）１ｄ内に格納してもよい。」（段落【００１３】）
　　
リ「「クッキー１」の画面で「型抜きクッキー」を選択すると図３（ｄ）に示すように「型抜きクッキー」の画面に切り替わるので、「分量３８個」を選択すると図３（ｅ）に示すように「焼き上げ」を実行するのか「レシピ」を参照するのかの選択画面に切り替わる。「焼き上げ」を選択した場合、図３（ｆ）に示すような仕上がり選択画面に切り替わるので「標準」を選択して図２に示すスタートキー１９を押せば加熱実行となる。」（段落【００１８】）
　　
ヌ「又、図３（ｂ）に示す自動調理の料理種別選択画面で「ケーキ」を選択した場合には、図３（ｃ）に示すように「ケーキ１」の画面に切り替わるので「スポンジケーキ」を選択すると図３（ｄ）に示すように「１段調理」又は「２段調理」を選択する画面となり、「１段調理」を選択すると図３（ｅ）に示すように「焼き上げ」を選択した場合、図３（ｆ）に示すような仕上がり選択画面に切り替わるので「標準」を選択して図２に示すスタートキー１９を押せば加熱実行となる。」（段落【００１９】）
　　　
ル「一方、図３（ａ）に示す待機時の初期画面あるいは図３（ｂ）に示すようなブックマークが表示されていない画面でブックマークキー１５を押すと登録済みの画面をジャンプ表示させることができ、登録済みの画面が複数ある場合には図６に示すように登録済み画面のタイトルを記憶させた順番（新しく記憶させたものが上）に一覧表示されるので、表示させたい画面のタイトルを選択すると、該タイトル画面をジャンプ表示させることができる。」（段落【００２３】）
　　
　以上の記載及び図面によると、引用例２には、
　複数個の料理のそれぞれに対応して該料理の加熱調理するための情報が記憶された内部記憶メモリーを備えた加熱調理器であって、料理の分量に応じた情報を含む料理情報が表示された所望画面に栞を付与し、栞が付与された画面に係るデータを記憶手段に記憶し、ブックマークキーを押すことにより該記憶手段から栞が付与された画面をジャンプ表示し、加熱を実行する加熱調理器（以下「引用例２発明」という。）
　が記載されている。 
             　　  
（３）対比
　そこで、本願補正発明と引用例１発明とを対比すると、引用例１発明の「複数の調理名称」は本願補正発明の「複数個の料理」に相当し、以下同様に「調理条件」は「該料理を加熱調理するための加熱制御情報を含む料理情報」に、「予め登録」は「標準で登録」に、「登録手段」は「記憶部」に、「高周波加熱装置」は「電子レンジ」に、「複数の調理名称一覧」は「複数個の料理の料理名一覧」に、「ＥＥＰＲＯＭ」は「料理名格納手段」に、「呼び出し」は「読出し」に、「メニュー呼出キー」は「読出操作部」に、「制御装置」は「料理名表示手段」に、「スタートキー」は「加熱開始操作部」に、「表示操作パネル」は「外部操作部」に、「調理機能を実行する手段」は「料理加熱手段」に、それぞれ相当する。そして、引用例１発明の調理名称も、その従来例の記載（「２．（２）ロ」参照。）にあるように、表示されて選択されるものと理解できる。
　したがって、両者は、
　複数個の料理のそれぞれに対応して該料理を加熱調理するための加熱制御情報を含む料理情報が標準で登録された記憶部が備えられる電子レンジであって、
　表示部と、前記複数個の料理の表示された料理名一覧のうちから選択された料理の料理名が格納された料理名格納手段と、
　前記料理名格納手段から前記料理名を読出して前記表示部に表示するために操作される読出操作部と、加熱調理について加熱動作の開始を指示するために操作される加熱開始操作部とを少なくとも有した外部操作部と、
　前記読出操作部が操作されたことに応じて前記料理名格納手段から前記料理名を読出して前記表示部に表示する料理名表示手段と、
　前記料理名表示手段により前記表示部に前記料理名が表示されている際に、前記加熱開始操作部が操作されたことに応じて、前記料理について対応の前記加熱制御情報に従い前記加熱動作を開始するための料理加熱手段とをさらに備え、ることを特徴とする、電子レンジ
　の点で一致し、次の１〜３の点で相違している。
　　　
［相違点１］
　本願補正発明では、読出される料理が、外部操作して選択されたお気に入り料理であって、これをお気に入り料理名格納手段から読出すものであるのに対し、引用例１発明では、読出される料理が、選択された料理であって、料理名格納手段から所定の順に読み出されるものである点。
　　　
［相違点２］
　本願補正発明では、料理名表示手段は、前記表示部において、前記料理名を大きなサイズで表示するものであるのに対し、引用例１発明では、該構成についての明示的な記載がない点。
　　　
［相違点３］
　本願補正発明では、料理情報は、対応する料理の分量に応じた情報を示して、料理名により、対応の前記分量が指示されるものであるのに対し、引用例１発明では、該構成についての記載がない点。
　　　
（４）判断
　そこで、上記相違点について検討する。
　まず、相違点１について検討する。
　引用例２には、料理の詳細（「表示項目（ｃ）」〜「表示項目（ｆ）」として記載。）を選択し、再度使用するために保存するに際し、外部操作（「ブックマークキー１５」の押下）を行い、これら選択された複数の料理の詳細を格納手段（「不揮発性メモリ」）に保存する技術が開示されている。
　　　
  また、料理の詳細のみならず、料理自体について、外部操作して選択し、頻繁に使用できるように、記憶させることは、当該技術分野において、従来周知の技術である（例えば、特開平２−１１８３２４号公報「電子レンジ」における「メニュー名表示部」にメニュー名を表示させる「メインメモリ」についての記載、実願平１−１３５５９３号（実開平３−７３８０４号）のマイクロフィルム「電子レンジ」における「使用者が任意に設定した調理メニューを記憶する記憶部」についての記載参照。）。
　　　
　そうすると、引用例１発明において、選択された料理を、所定の順に読み出されるものに代えて、外部操作して選択されたお気に入り料理をお気に入り料理名格納手段から読出すものとした点は、引用例２及び周知技術に基づいて、当業者が容易に想到し得たことである。
　　　
　次に、相違点２について検討する。
　選択された料理名を大きく表示して見やすくすることは、当該技術分野において周知の課題であり（一例として、引用例２：特開平１１−２８１０６４号公報の段落【００１１】「見やすい大きさで漢字表示」の記載参照。）、料理名を他の部位の文字の大きさと比べて大きくすることは、周知の技術である（例えば、引用例１の【図２】における「メニュー１」の表示、前審で提示した特開平１１−１８２８５０号公報「電子レンジ」の【図１１】における「食品名称表示部９ａ」の表示参照。）。
　　
　そうすると、引用例１発明において、料理名表示手段を、表示部において、料理名を大きなサイズで表示するものとした点は、当業者であれば、必要に応じ、周知技術に基づいて、容易に想到し得たことである。
　　　
　さらに、相違点３について検討する。
　料理情報を、対応する料理の分量に応じた情報を示して、料理名により、対応の前記分量が指示されるものとすることは、当該技術分野においては、従来周知の技術である（例えば、引用例２における分量に関する記載（「２．（２）リ」参照。）、実願平１−１３５５９３号（実開平３−７３８０４号）のマイクロフィルム「電子レンジ」における第３頁「食品の量により任意に調理メニューを設定して記憶部に記憶させ、」の記載、前審で引用した特開昭５９−１７６５２５号公報「高周波加熱調理装置」における「人数および材料の分量を表示板に表示する」点についての記載参照。）。
　　　
　そうすると、引用例１発明において、料理情報を、対応する料理の分量に応じた情報を示して、料理名により、対応の前記分量が指示されるものとした点は、当業者であれば、必要に応じ、周知技術に基づいて、容易に想到し得たことである。
　　　
　そして、本願補正発明の奏する作用効果をみても、引用例１発明、引用例２発明及び周知技術から当業者が予測できる範囲のものである。
　　　　
　したがって、本願補正発明は、引用例１発明、引用例２発明及び周知技術に基づいて、当業者が容易に発明をすることができたものであるから、特許法第２９条第２項の規定により、特許出願の際独立して特許を受けることができないものである。
　　
（５）むすび
　以上のとおり、本件補正は、特許法第１７条の２第５項で準用する同法第１２６条第５項の規定に違反するものであり、特許法第１５９条第１項で読み替えて準用する同法第５３条第１項の規定により却下されるべきものである。
　　　　　　　　　　
３．本願発明について
　平成１７年５月２６日付けの手続補正は上記のとおり却下されたので、本願の請求項５に係る発明（同項記載の発明の中、請求項１に記載された発明を引用した発明を、以下、「本願発明」という。）は、本願の平成１６年５月２７日付けで補正された明細書及び図面からみて、その特許請求の範囲の請求項５に記載された次の事項により特定されるものである。
　　　　　　　　　　
「【請求項１】複数個の料理のそれぞれに対応して該料理を加熱調理するための加熱制御情報を含む料理情報が標準で登録された記憶部が備えられる電子レンジであって、表示部と、前記複数個の料理の表示された料理名一覧のうちから外部操作して選択された所望料理の料理名が格納された所望料理名格納手段と、
　前記所望料理名格納手段から前記料理名を読出して前記表示部に表示するために操作される読出操作部と、加熱調理について加熱動作の開始を指示するために操作される加熱開始操作部とを少なくとも有した外部操作部と、
　前記読出操作部が操作されたことに応じて前記所望料理名格納手段から前記料理名を読出して前記表示部に表示する所望料理名表示手段と、
　前記所望料理名表示手段により前記表示部に前記料理名が表示されている際に、前記加熱開始操作部が操作されたことに応じて、前記所望料理について対応の前記加熱制御情報に従い前記加熱動作を開始するための所望料理加熱手段とをさらに備え、
　前記所望料理名表示手段は、前記表示部において、前記料理名を大きなサイズで表示することを特徴とする、電子レンジ。
【請求項５】前記料理情報は、対応する前記料理の分量に応じた情報を示して、前記料理名により、対応の前記分量が指示されることを特徴とする、請求項１ないし４のいずれかに記載の電子レンジ。」
　　　　　
（１）引用例
　原査定の拒絶の理由に引用された引用例、及び、その記載事項は、前記「２．（２）」に記載したとおりである。
　　　
（２）対比・判断
　本願発明は、前記２．で検討した本願補正発明から「所望料理」について「お気に入り料理」との限定を省いたものである。
　　　
　そうすると、本願発明の構成をすべて含み、さらに限定を付したものに相当する本願補正発明が、「前記２．（４）」に記載したとおり、引用例１発明、引用例２発明及び周知技術に基づいて、当業者が容易に発明をすることができたものであるから、本願発明も、同様の理由により、引用例１発明、引用例２発明及び周知技術に基づいて、当業者が容易に発明をすることができたものである。
　　　　　　　
（３）むすび
　以上のとおり、本願発明は、引用例１発明、引用例２発明及び周知技術に基づいて、当業者が容易に発明をすることができたものであるから、特許法第２９条第２項の規定により特許を受けることができない。
　　　
　そうすると、他の請求項に係る発明について検討するまでもなく、本願は、拒絶すべきものである。
　　　
　よって、結論のとおり審決する。